(57)【要約】【課題】  簡単な構成で、強制的に電源を制御する機能の有無に関わらずに、携帯電話機使用者に使用制限エリアであることを促すことのできる携帯電話機の使用制限方法および装置を実現することを目的とする。【解決手段】  入場者または出場者を検出するための通過センサと、入場者または出場者に対する表示を行う表示器と、携帯電話機との間で信号を送受信可能に構成され、検出センサにより入場者または出場者が検出されたときに、携帯電話機に対して電源を切断または投入する旨の信号を送出し、その後の所定時間内に、携帯電話機からの電源を切断または投入した旨を示す信号が受信されないときに、表示器に対して携帯電話機の電源を切断または投入する旨の表示を行なわせる電源制御信号送受信回路と、を有する。【選択図】  図１
2005328155.tif 000002
【特許請求の範囲】
【請求項１】
携帯電話機の使用が制限されるエリアの入口に設けられ、入場者を検出するための通過センサと、入場者に対する表示を行う表示器と、携帯電話機との間で信号の送受信を行なう電源制御信号送受信回路とを備えた電源オフ制御器で行われる携帯電話機の使用制御方法であって、
前記通過センサにより入場者の有無を検出すると第１のステップと、
前記通過センサにより入場者が検出されたときに、前記電源制御信号送受信回路が前記携帯電話機に対して電源を切断する旨の信号を送出する第２のステップと、
前記第２のステップにて電源を切断する旨の信号を送出した後の所定時間内に、前記携帯電話機からの電源を切断した旨を示す信号が受信されないときに行なわれ、前記電源制御信号送受信回路が前記表示器に対して携帯電話機の電源を切断する旨の表示を行なわせる第３のステップとを有することを特徴とする携帯電話機の使用制御方法。
【請求項２】
携帯電話機の使用が制限されるエリアの出口に設けられ、出場者を検出するための通過センサと、出場者に対する表示を行う表示器と、携帯電話機との間で信号の送受信を行なう電源制御信号送受信回路とを備えた電源オン制御器で行われる携帯電話機の使用制御方法であって、
前記通過センサにより出場者の有無を検出すると第１のステップと、
前記通過センサにより出場者が検出されたときに、前記電源制御信号送受信回路が前記携帯電話機に対して電源を投入する旨の信号を送出する第２のステップと、
前記第２のステップにて電源を投入する旨の信号を送出した後の所定時間内に、前記携帯電話機からの電源を投入した旨を示す信号が受信されないときに行なわれ、前記電源制御信号送受信回路が前記表示器に対して携帯電話機の電源を投入する旨の表示を行なわせる第３のステップとを有することを特徴とする携帯電話機の使用制御方法。
【請求項３】
携帯電話機の使用が制限されるエリアの入口に設けられる携帯電話機の使用制御装置であって、
入場者を検出するための通過センサと、
入場者に対する表示を行う表示器と、
前記携帯電話機との間で信号を送受信可能に構成され、前記通過センサにより入場者が検出されたときに、前記携帯電話機に対して電源を切断する旨の信号を送出し、その後の所定時間内に、前記携帯電話機からの電源を切断した旨を示す信号が受信されないときに、前記表示器に対して携帯電話機の電源を切断する旨の表示を行なわせる電源制御信号送受信回路と、を有することを特徴とする携帯電話機の使用制御装置。
【請求項４】
携帯電話機の使用が制限されるエリアの出口に設けられる携帯電話機の使用制御装置であって、
出場者を検出するための通過センサと、
出場者に対する表示を行う表示器と、
前記携帯電話機との間で信号を送受信可能に構成され、前記通過センサにより出場者が検出されたときに、前記携帯電話機に対して電源を投入する旨の信号を送出し、その後の所定時間内に、前記携帯電話機からの電源を投入した旨を示す信号が受信されないときに、前記表示器に対して携帯電話機の電源を投入する旨の表示を行なわせる電源制御信号送受信回路と、を有することを特徴とする携帯電話機の使用制御装置。
【発明の詳細な説明】
【技術分野】
【０００１】
本発明は、病院・劇場などの携帯電話機使用禁止エリアでの携帯電話機の使用を制限する方法および装置に関する。
【背景技術】
【０００２】
携帯電話機の使用によりペースメーカーや航空機に組み込まれた精密機器が誤動作することが危惧されている。また、携帯電話機を使用する場所に応じたマナーも求められている。
【０００３】
従来、使用場所に応じて携帯電話機の使用を制限することは、電車におけるアナウンスや、駅構内、電車内に貼られたポスターにより携帯電話機使用者の自覚を促すことにより多く行なわれている。この場合、携帯電話機の電源のオンオフは使用者の判断に委ねられることとなるが、より確実に携帯電話機の使用を制限するシステムとして以下が提案されている。
【０００４】
特許文献１（特開２０００−１７５２６７号公報）には、携帯電話機からの電波を検出すると、警告音を発生する、もしくは警告表示を行なったり、電源を切断する信号を発生することが開示されている。
【０００５】
特許文献２（特開２０００−１７５２６７号公報）には、使用禁止区域内の携帯電話機に電源切断信号を送るとともに、携帯電話機は警報を発し、さらに、携帯電話機のＩＤ番号を基地局に登録して外部からの接続要求に対応させる構成が開示されている。
【０００６】
特許文献３（特開２００２−０７８０１７号公報）には、外側規制エリアと内側規制エリアを設け、各エリア内で受信する信号の順番により使用禁止エリア内での送信動作の禁止または禁止解除を行なう構成が開示されている。
【０００７】
特許文献４（特開２００３−１７４６８３号公報）には、特許文献３と同様、制限領域の出入り口に設けられた第１送信機と第２送信機の送信信号の受信パターンに応じて制限領域内での送信動作を禁止および禁止解除を行なう構成が開示されている。
【０００８】
特許文献５（特開平１１−３５５９５７号公報）には、電子機器からの電磁波を検出すると電子機器の電源を切断する旨の信号を送出する電磁波障害防止装置と、電源を切断する旨の信号を受けて電子機器は電源を切断する構成が開示されている。
【特許文献１】特開２０００−１７５２６７号公報
【特許文献２】特開２０００−２８７２５９号公報
【特許文献３】特開２００２−０７８０１７号公報
【特許文献４】特開２００３−１７４６８３号公報
【特許文献５】特開平１１−３５５９５７号公報
【発明の開示】
【発明が解決しようとする課題】
【０００９】
上述した各特許文献のうち、携帯電話機の動作を制御する発明では、携帯電話機に、受信信号に応じて自己の電源制御を行う機能を備えるものであることが必要であり、このような機能を持たない携帯電話機には効果がないという問題点がある。また、携帯電話機の検出が携帯電話機が発する電波を検出することにより行われているが、基地局が送出する信号と同様の擬似信号を送出する構成が必要となるので、構成が複雑になるという問題点がある。
【００１０】
本発明は、上述したような従来技術が有する問題点に鑑みてなされたものであって、簡単な構成で、強制的に電源を制御する機能の有無に関わらずに、携帯電話機使用者に使用制限エリアであることを促すことのできる携帯電話機の使用制限方法および装置を実現することを目的とする。
【課題を解決するための手段】
【００１１】
本発明の携帯電話機の使用制御方法は、携帯電話機の使用が制限されるエリアの入口に設けられ、入場者を検出するための通過センサと、入場者に対する表示を行う表示器と、携帯電話機との間で信号の送受信を行なう電源制御信号送受信回路とを備えた電源オフ制御器で行われる携帯電話機の使用制御方法であって、
前記通過センサにより入場者の有無を検出すると第１のステップと、
前記通過センサにより入場者が検出されたときに、前記電源制御信号送受信回路が前記携帯電話機に対して電源を切断する旨の信号を送出する第２のステップと、
前記第２のステップにて電源を切断する旨の信号を送出した後の所定時間内に、前記携帯電話機からの電源を切断した旨を示す信号が受信されないときに行なわれ、前記電源制御信号送受信回路が前記表示器に対して携帯電話機の電源を切断する旨の表示を行なわせる第３のステップとを有することを特徴とする。
【００１２】
本発明の他の形態による携帯電話機の使用制御方法は、携帯電話機の使用が制限されるエリアの出口に設けられ、出場者を検出するための通過センサと、出場者に対する表示を行う表示器と、携帯電話機との間で信号の送受信を行なう電源制御信号送受信回路とを備えた電源オン制御器で行われる携帯電話機の使用制御方法であって、
前記通過センサにより出場者の有無を検出すると第１のステップと、
前記通過センサにより出場者が検出されたときに、前記電源制御信号送受信回路が前記携帯電話機に対して電源を投入する旨の信号を送出する第２のステップと、
前記第２のステップにて電源を投入する旨の信号を送出した後の所定時間内に、前記携帯電話機からの電源を投入した旨を示す信号が受信されないときに行なわれ、前記電源制御信号送受信回路が前記表示器に対して携帯電話機の電源を投入する旨の表示を行なわせる第３のステップとを有することを特徴とする。
【００１３】
本発明の携帯電話機の使用制御装置は、携帯電話機の使用が制限されるエリアの入口に設けられる携帯電話機の使用制御装置であって、
入場者を検出するための通過センサと、
入場者に対する表示を行う表示器と、
前記携帯電話機との間で信号を送受信可能に構成され、前記通過センサにより入場者が検出されたときに、前記携帯電話機に対して電源を切断する旨の信号を送出し、その後の所定時間内に、前記携帯電話機からの電源を切断した旨を示す信号が受信されないときに、前記表示器に対して携帯電話機の電源を切断する旨の表示を行なわせる電源制御信号送受信回路と、を有することを特徴とする。
【００１４】
本発明の他の形態による携帯電話機の使用制御装置は、携帯電話機の使用が制限されるエリアの出口に設けられる携帯電話機の使用制御装置であって、
出場者を検出するための通過センサと、
出場者に対する表示を行う表示器と、
前記携帯電話機との間で信号を送受信可能に構成され、前記通過センサにより出場者が検出されたときに、前記携帯電話機に対して電源を投入する旨の信号を送出し、その後の所定時間内に、前記携帯電話機からの電源を投入した旨を示す信号が受信されないときに、前記表示器に対して携帯電話機の電源を投入する旨の表示を行なわせる電源制御信号送受信回路と、を有することを特徴とする。
【発明の効果】
【００１５】
本発明は上記のように構成されているので、以下に記載するような効果を奏する。
【００１６】
携帯電話機の使用が制限されるエリアの入り口または出口にて入場者または出場者を検出したときに、携帯電話機に対する電源を切断または投入する旨の信号を送出し、その後の所定時間内に、携帯電話機からの電源を切断または投入した旨を示す信号が受信されないときに、表示器に対して携帯電話機の電源の切断または投入する旨の表示を行なわせる。携帯電話機が、受信信号に応じて自己の電源制御を行う機能を備えるものである場合には、携帯電話機に対する電源を切断または投入する旨の信号に応じた動作が行われ、また、その動作を行った旨の信号が返送されるが、携帯電話機が、受信信号に応じて自己の電源制御を行う機能を備えるものでない場合にはその動作を行った旨の信号が返送されず、携帯電話機の電源の切断または投入する旨の表示が行なわれることとなる。
【００１７】
このような、表示動作を行うかの判定が、携帯電話機からの返送信号が所定時間内にあるかを確認するという簡単な構成で行なわれる。
【発明を実施するための最良の形態】
【００１８】
次に、本発明の実施の形態について図面を参照して詳細に説明する。
【００１９】
図１は本発明による携帯電話機使用制限システムの実施形態の構成を示すブロック図である。
【００２０】
本実施形態は、携帯電話機１０と、電源オフ制御器２０および電源オン制御器３０から構成される。携帯電話機１０は電源の制御を可能とするための機能を備えるものであるが、電源オフ制御器２０および電源オン制御器３０は、携帯電話機１０が電源の制御を可能とするための機能を備えないものであってもその所持者に電源のオフ、オンを促すことができるように構成されている。
【００２１】
携帯電話機１０は、アンテナ１１、電源制御信号送受信回路１２、主電源制御回路１３、主回路１４、アンテナ１５および電池１６から構成されている。電源オフ制御回路２０は、アンテナ２１、電源制御信号送受信回路２２、表示機２３および通過センサ２４から構成されている。電源オン制御回路３０は、アンテナ３１、電源制御信号送受信回路３２、表示機３３および通過センサ３４から構成されている。
【００２２】
電源オフ制御器２０は携帯電話機１０に対して電源をオフする旨の電源オフ命令信号Ａを送出し、これを受けて電源をオフとした携帯電話機１０はその旨を示す電源オフ確認信号Ｂを電源オフ制御器２０へ返送する。
【００２３】
電源オン制御器３０は携帯電話機１０に対して電源をオンする旨の電源オン命令信号Ｃを送出し、これを受けて電源をオンとした携帯電話機１０はその旨を示す電源オン確認信号Ｄを電源オン制御器３０へ返送する。
【００２４】
電源オフ制御器２０を構成する通過センサ２４は、携帯電話機の使用禁止エリアの入口に入場者を検出するために設けられ、入場者を検出した時にはその旨を電源制御信号送受信回路２２に通知し、これを受けて電源制御信号送受信回路２２はアンテナ２１を介して携帯電話機１０に対し携帯電話機の電源をオフするための電源オフ命令信号Ａを送信する。
【００２５】
電源制御信号送受信回路２２は、携帯電話機１０から送信された電源オフ確認信号Ｂをアンテナ２１を介して受信するが、入場者が検出され、電源オフ命令信号Ａを送信し、その後、所定時間内に電源オフ確認信号Ｂが受信されたときには、入場者の所持する携帯電話機の電源がオフされたことを表示機２３に音声やディスプレイなどで表示させ、入場者が検出され、電源オフ命令信号Ａを送信し、その後、所定時間内に電源オフ確認信号Ｂが受信されなかったときには、表示機２３に入場者の所持する携帯電話機の電源をオフすることを音声やディスプレイで促す表示を行なわせる。
【００２６】
電源オン制御器３０を構成する通過センサ３４は、携帯電話機の使用禁止エリアの出口に出場者を検出するために設けられ、出場者を検出した時にはその旨を電源制御信号送受信回路３２に通知し、これを受けて電源制御信号送受信回路３２はアンテナ３１を介して携帯電話機１０に対し携帯電話機の電源をオンするための電源オン命令信号Ｃを送信する。
【００２７】
電源制御信号送受信回路３２は、携帯電話機１０から送信された電源オン確認信号Ｄをアンテナ３１を介して受信するが、出場者が検出され、電源オン命令信号Ｃを送信し、その後、所定時間内に電源オン確認信号Ｄが受信されたときには、出場者の所持する携帯電話機の電源がオンされたことを表示機３３に音声やディスプレイなどで表示させ、出場者が検出され、電源オン命令信号Ｃを送信し、その後、所定時間内に電源オン確認信号Ｄが受信されなかったときには、表示機３３に出場者の所持する携帯電話機の電源をオンすることを音声やディスプレイで促す表示を行なわせる。
【００２８】
電源オン状態の携帯電話機１０を所持した人が、病院や劇場などの携帯電話機の使用制限区域の入場ゲートに設置された電源オフ制御器２０の前を外側から使用禁止エリア内に向かって通過しようとすると、電源オフ制御器２０に具備された通過センサ２４が例えば人体の発する熱を検出することにより通過者の存在を検出する。通過者の存在を検出すると、電源制御信号送受信回路はからアンテナ２１を通じて電源オフ命令信号Ａを電磁波として送出する。電源オフ命令信号Ａを示す電磁波は、入場ゲートを通過するものにしか届かない程度の非常に微弱な強度にする。
【００２９】
図１に示す携帯電話機１０の電源制御信号送受信回路１２は、アンテナ１１を介して電源オフ命令信号Ａを受信し、電源オフ命令信号Ａを受信したことを確認する電源オフ確認信号Ｂをアンテナ１１を介して送信し、主電源制御回路１３に電池１６から携帯電話機の主回路１４に電源を供給している回路を切断させる。この状態では電源制御信号送受信回路１２しか動作しておらず、携帯電話機としての強い電磁波が主回路１４に接続されたアンテナ１５から送出されることはなく、また着信動作を行い周囲に迷惑をかけることもない。
【００３０】
電源オフ制御器２０の電源制御信号送受信回路２２では、電源オフ確認信号Ｂをアンテナ２１を介して受信すると、表示器２３にこれを通知する。表示器２３は、「お手持ちの携帯電話機の電源を切りました。」という音声案内と文字による案内を行う。
【００３１】
通過者が図１に示す構成を有しない携帯電話機を所持している場合、電源オフ制御器２０から発せられた電源オフ命令信号Ａは無視され、したがって電源オフ確認信号Ｂを送出することもない。この場合電源オフ制御器２０は、電源オフ命令信号Ａを送出したが、その後、所定時間内に電源オフ確認信号Ｂが受信されないため、通過者は通常の携帯電話機を所持している場合がありうると判断し、表示器２３により「携帯電話機をお持ちの場合は、電源をお切りください。」という音声案内と文字による案内を行う。この後は通過者のマナーに任されるが、厳重に電源オフを守らせる必要がある場合は、携帯電話機の電源を切る操作を行わない人に対して警備員によるチェックを行うことが考えられる。
【００３２】
電源オフ状態の携帯電話機を所持した人が、病院や劇場出口の出場ゲートに設置された電源オン制御器３０の前を使用禁止エリア内から外側に向かって通過しようとすると、電源オン制御器３０に具備された通過センサ３４が、例えば人体の発する熱を赤外線センサで検出することにより通過者の存在を検出する。通過者の存在を検出すると、電源オン制御器３０の電源制御信号送受信回路３２はアンテナ３１を通じて電源オン命令信号Ｃを電磁波として送出する。
【００３３】
この電磁波は、入場ゲートを通過するものにしか届かない程度の非常に微弱な強度にする。
【００３４】
図１に示す携帯電話機１０の電源制御信号送受信回路１２は、アンテナ１１を介して電源オン命令信号Ｃを受信し、主電源制御回路１３に電池１６から携帯電話機の主回路１４に電源を供給している回路を接続させる。その直後、電源オン命令Ｃを受信したことを確認する電源オン確認信号Ｄをアンテナ１１を介して送信する。これで携帯電話機は通常の電源オン状態に戻る。
【００３５】
電源オン制御器３０では、電源オン確認信号Ｄをアンテナ３１を介し電源制御信号送受信回路３２で受信すると、表示器３３にこれを通知する。表示器３３は、「お手持ちの携帯電話機の電源を入れました。」という音声案内と文字による案内を行う。
【００３６】
通過者が図１に示す携帯電話機を所持していない場合、電源オン制御器３０から発せられた電源オン命令信号Ｃは無視され、したがって電源オン確認信号Ｄを送出することもない。この場合電源オフ制御器３０は、電源オン命令信号Ｃを送出したがそ、の後、所定時間内に電源オン確認信号Ｄが受信されないため、通過者は通常の携帯電話機を所持している場合がありうると判断し、表示器２３により「携帯電話機をお持ちの場合は、電源をお入れください。」という音声案内と文字による案内を行う。
【図面の簡単な説明】
【００３７】
【図１】図１は、本発明の実施例を表すブロック図である。
【符号の説明】
【００３８】
１０  携帯電話機
１１  電源制御信号送受信用アンテナ
１２  電源制御信号送受信回路
１３  主電源制御回路
１４  主回路
１５  主回路用アンテナ
１６  電池
２０  電源オフ制御器
２１  アンテナ
２２  電源制御信号送受信回路
２３  表示器
２４  通過センサ
３０  電源オン制御器
３１  アンテナ
３２  電源制御信号送受信回路
３３  表示器
３４  通過センサ
【図１】
2005328155.tif 000003